(57)【要約】【課題】  携帯電話機などの携帯端末の機能を設定（または制限）するエリアを狭くすることができ、かつ、エリア側の設定情報を携帯端末側で自由に変更することのできる携帯端末機能設定システムを提供する。【解決手段】  動作モードの設定が可能な携帯端末１０と、タグ情報の読み書きが非接触で行われるＲＦＩＤタグ２０とを有する。携帯端末１０は、ＲＦＩＤリーダ／ライタ１０３と、上記動作モードの設定に関する設定情報をタグ情報としてＲＦＩＤリーダ／ライタ１０３を通じてＲＦＩＤタグ２０に書き込む制御部１０２を有し、制御部１０２が、ＲＦＩＤリーダ／ライタ１０３を通じてＲＦＩＤリーダ／ライタ１０３から読み取った設定情報に基づいて上記動作モードの設定を行う。【選択図】図１
2006262113.tif 000002
【特許請求の範囲】
【請求項１】
動作モードの設定が可能な携帯端末と、
タグ情報の読み書きが非接触で行われる無線タグとを有し、
前記携帯端末は、
前記無線タグに対して前記タグ情報の読み書きを行うリーダ／ライタ装置と、
前記動作モードの設定に関する設定情報を前記タグ情報として前記リーダ／ライタ装置を通じて前記無線タグに書き込む制御手段とを有し、
前記制御手段が、前記リーダ／ライタ装置を通じて前記無線タグに格納された設定情報を読み取り、該読み取った設定情報に基づいて前記動作モードの設定を行うことを特徴とする携帯端末機能設定システム。
【請求項２】
前記携帯端末は、現在の時刻情報を提供する時計部をさらに有し、
前記設定情報が、前記動作モードのオン・オフの設定および該設定を実行する時間帯の情報を含み、
前記制御手段が、前記無線タグから読み取った設定情報に含まれている時間帯情報と前記時計部から提供された現在の時刻情報とに基づいて、前記動作モードのオン・オフの設定を実行する、請求項１に携帯端末機能設定システム。
【請求項３】
前記携帯端末は、外部の無線基地局との間で無線通信を行う無線部をさらに有し、前記動作モードが、該無線部を介して行われる動作を制限するモードである、請求項２に携帯端末機能設定システム。
【請求項４】
前記携帯端末は、カメラ撮影を行うカメラ部をさらに有し、前記設定情報が、前記カメラ部における撮影条件を設定するためのカメラ設定情報である、請求項１に携帯端末機能設定システム。
【請求項５】
前記携帯端末は、
表示部と、
現在のカメラ設定情報を格納するカメラ設定情報記憶部とをさらに有し、
前記制御手段が、前記無線タグから読み取った推奨カメラ設定情報と前記カメラ設定情報記憶部に格納されている現在のカメラ設定情報とを比較し、これら設定情報が一致しない場合に、前記推奨カメラ設定情報に基づいて設定変更を行うか否かの確認を行うための確認画面を前記表示部に表示させ、該確認画面上で、設定変更を行う旨の入力がなされると、前記推奨カメラ設定情報に基づいて前記カメラ部の設定を行うとともに、前記カメラ設定情報記憶部に格納されている現在のカメラ設定情報を前記推奨カメラ設定情報に書き換える、請求項４に携帯端末機能設定システム。
【請求項６】
タグ情報の読み書きが非接触で行われる無線タグに対して前記タグ情報の読み書きを行うリーダ／ライタ装置を備えた、動作モードの設定が可能な携帯端末において行われる機能設定方法であって、
前記動作モードの設定に関する設定情報を前記タグ情報として前記リーダ／ライタ装置を通じて前記無線タグに書き込むステップと、
前記リーダ／ライタ装置を通じて前記無線タグに格納された設定情報を読み取るステップと、
前記読み取った設定情報に基づいて前記動作モードの設定を行うステップとを含む携帯端末機能設定方法。
【請求項７】
現在の時刻情報を提供するステップと、
前記設定情報として、前記動作モードのオン・オフの設定および該設定を実行する時間帯の情報を前記無線タグから読み取るステップと、
前記無線タグから読み取った設定情報に含まれている時間帯情報と前記提供された現在の時刻情報とに基づいて、前記動作モードのオン・オフの設定を実行するステップとをさらに含む、請求項６に携帯端末機能設定方法。
【請求項８】
前記動作モードが、外部の無線基地局との間で無線通信を介して行われる動作を制限するモードである、請求項７に携帯端末機能設定方法。
【請求項９】
前記設定情報が、カメラ撮影を行うカメラ部における撮影条件を設定するためのカメラ設定情報である、請求項６に携帯端末機能設定方法。
【請求項１０】
現在のカメラ設定情報をカメラ設定情報記憶部に格納するステップと、
前記無線タグから読み取った推奨カメラ設定情報と前記カメラ設定情報記憶部に格納されている現在のカメラ設定情報とを比較し、これら設定情報が一致しない場合に、前記推奨カメラ設定情報に基づいて設定変更を行うか否かの確認を行うための確認画面を表示させ、該確認画面上で、設定変更を行う旨の入力がなされると、前記推奨カメラ設定情報に基づいて前記カメラ部の設定を行うとともに、前記カメラ設定情報記憶部に格納されている現在のカメラ設定情報を前記推奨カメラ設定情報に書き換える、請求項９に携帯端末機能設定方法。
【請求項１１】
動作モードの設定が可能な携帯端末において、
タグ情報の読み書きが非接触で行われる外部の無線タグに対して前記タグ情報の読み書きを行うリーダ／ライタ装置と、
前記動作モードの設定に関する設定情報を前記タグ情報として前記リーダ／ライタ装置を通じて前記無線タグに書き込む制御手段とを有し、
前記制御手段が、前記リーダ／ライタ装置を通じて前記無線タグに格納された設定情報を読み取り、該読み取った設定情報に基づいて前記動作モードの設定を行うことを特徴とする携帯端末。
【請求項１２】
現在の時刻情報を提供する時計部をさらに有し、
前記設定情報が、前記動作モードのオン・オフの設定および該設定を実行する時間帯の情報を含み、
前記制御手段が、前記無線タグから読み取った設定情報に含まれている時間帯情報と前記時計部から提供された現在の時刻情報とに基づいて、前記動作モードのオン・オフの設定を実行する、請求項１１に携帯端末。
【請求項１３】
外部の無線基地局との間で無線通信を行う無線部をさらに有し、前記動作モードが、該無線部を介して行われる動作を制限するモードである、請求項１２に携帯端末。
【請求項１４】
カメラ撮影を行うカメラ部をさらに有し、前記設定情報が、前記カメラ部における撮影条件を設定するためのカメラ設定情報である、請求項１１に携帯端末。
【請求項１５】
表示部と、
現在のカメラ設定情報を格納するカメラ設定情報記憶部とをさらに有し、
前記制御手段が、前記無線タグから読み取った推奨カメラ設定情報と前記カメラ設定情報記憶部に格納されている現在のカメラ設定情報とを比較し、これら設定情報が一致しない場合に、前記推奨カメラ設定情報に基づいて設定変更を行うか否かの確認を行うための確認画面を前記表示部に表示させ、該確認画面上で、設定変更を行う旨の入力がなされると、前記推奨カメラ設定情報に基づいて前記カメラ部の設定を行うとともに、前記カメラ設定情報記憶部に格納されている現在のカメラ設定情報を前記推奨カメラ設定情報に書き換える、請求項１４に携帯端末。
【発明の詳細な説明】
【技術分野】
【０００１】
本発明は、設定されたエリアにおいて携帯電話機やＰＨＳ（Personal Handyphone System）などの携帯端末の機能の一部または全部を自動で設定するシステムおよび方法に関する。
【背景技術】
【０００２】
最近、携帯電話機の使用者に対して、様々なマナーが要求されている。例えば、電車やバスの車内、映画館やコンサート会場といった場所では、携帯電話機による通話を行わないことがマナーとなっている。通常、使用者は、そのような場所においては、携帯電話機のモードを、着信音を鳴らさずに、バイブレーションやＬＥＤの点滅により着信を知らせる機能であるマナーモードに、手動で設定する。しかし、使用者がマナーモードの設定を行うことを忘れることがあり、また、故意に通話を行う使用者もいる。このようなマナー違反を抑制するには、携帯電話機の機能を自動で制限することが望ましい。
【０００３】
特許文献１には、マナーモードへのモード切り替えを自動で行うシステムが記載されている。図７に、そのシステムの概要を示す。
【０００４】
図７を参照すると、このシステムは、マナーエリア毎に設置されたコントロール信号発生装置６０１a〜６０１cと、これらマナーモード用信号発生装置６０１a〜６０１cのそれぞれの通信エリア６０３a〜６０３c内において、マナーモード用信号発生装置からマナーを受信する携帯電話機６０２とからなる。マナーモード用信号発生装置６０１a〜６０１cは、マナー信号を継続的に送信しており、携帯電話機６０２は、通信エリア６０３a〜６０３c内でマナー信号を受信することができる。マナー信号を受信した携帯電話機６０２は、自身の動作モードを自動的にマナーモードに切替える。
【０００５】
上記の他、特許文献２には、ＩＣカードを利用して自動で機能制限を行うシステムが記載されている。このシステムは、移動網にデタッチ信号を送信することで通信機能を規制し、また移動網にアタッチ信号を送信することでその規制を解除することが可能な携帯電話端末装置と、この携帯電話端末装置に装着されるＩＣカードと、通信機能規制場所に設置された非接触型ＩＣカードリーダ／ライタとからなる。携帯電話端末装置が、自装置に装着されたＩＣカードを通じて、非接触型ＩＣカードリーダ／ライタが送出するメッセージ（通信規制要求または通信規制解除要求）を受信する。通信規制要求を受信した場合は、移動網にデタッチ信号を送信し、通信規制解除要求を受信した場合は、移動網にアタッチ信号を送信する。
【特許文献１】特開２００３−５２０７７号公報
【特許文献２】特許第３５３２５４３号公報
【発明の開示】
【発明が解決しようとする課題】
【０００６】
しかしながら、上述した従来のシステムには、以下のような問題がある。
【０００７】
特許文献１に記載のシステムにおいて、携帯電話機とマナーモード用信号発生装置の間の通信には、通常、Ｂｌｕｅｔｏｏｔｈ（米国Bluetooth SIG, Incが所有している商標）、無線ＬＡＮなどの無線方式が用いられることから、マナーモード用信号発生装置の通信範囲は、最小でも数メールである。最近では、様々なケースについて携帯電話機の機能制限が検討されており、その中には、携帯電話機の機能を制限するエリアをそのような通信範囲よりも狭い範囲に設定するケースもある。特に、限られた場所（空間）において、制限される機能が異なる複数のエリアを隣接して細かく設定するようなケースでは、エリアを上記の通信範囲より狭くする必要がある。
【０００８】
また、ユーザ（携帯電話機を使用する側）自身で、携帯電話機の機能を制限または設定するエリアを設定したいケースもある。例えば、子供に携帯電話機を持たせている家庭において、子供の携帯電話機の使いすぎを防止するために、任意の時間帯において、子供の携帯電話機の機能（音声／メールの発着信やインターネットへの接続）を制限したいケースがある。しかし、特許文献１に記載のシステムは、ユーザがマナーモード用信号発生装置の設定を自由に変更することができるようには構成されていないため、そのようなケースに適用することは困難である。
【０００９】
特許文献２に記載のシステムにおいては、ＩＣカードの通信エリアは、Ｂｌｕｅｔｏｏｔｈや無線ＬＡＮなどの無線方式による通信エリアよりも狭いため、特許文献１に記載のシステムに比べて、携帯電話機の機能を制限するエリアを狭い範囲に設定することができる。しかし、引用文献２に記載のシステムも、特許文献１に記載のシステムと同様、ユーザが非接触型ＩＣカードリーダ／ライタ側の設定を自由に変更することができるようにはなっていない。
【００１０】
本発明の目的は、上記問題を解決し、携帯電話機などの携帯端末の機能を設定（または制限）するエリアを狭くすることができ、かつ、エリア側の設定情報を携帯端末側で自由に変更することのできる、携帯端末機能設定システムおよび携帯端末機能設定方法を提供することにある。
【課題を解決するための手段】
【００１１】
上記目的を達成するため、本発明は、動作モードの設定が可能な携帯端末と、タグ情報の読み書きが非接触で行われる無線タグとを有し、前記携帯端末は、前記無線タグに対して前記タグ情報の読み書きを行うリーダ／ライタ装置と、前記動作モードの設定に関する設定情報を前記タグ情報として前記リーダ／ライタ装置を通じて前記無線タグに書き込む制御手段とを有し、前記制御手段が、前記リーダ／ライタ装置を通じて前記無線タグに格納された設定情報を読み取り、該読み取った設定情報に基づいて前記動作モードの設定を行うように構成されている。
【００１２】
上記の構成によれば、無線タグの通信エリアは、特許文献２に記載のＩＣカードと同様、Ｂｌｕｅｔｏｏｔｈや無線ＬＡＮなどの無線方式による通信エリアに比べて狭い。よって、機能を設定（または制限）するエリアを細かく設定することが可能である。
【００１３】
また、携帯端末上で設定された動作モードの設定情報が、リーダ／ライタ装置を通じて無線タグに書き込まれる。よって、使用者は、携帯端末を用いて、無線タグの設定情報、すなわち、エリア側の設定情報を自由に設定することが可能である。
【００１４】
なお、無線タグに書き込まれた設定情報は、自携帯端末の動作モードの設定に用いてもよく、また、他の携帯端末の動作モードの設定に用いてもよい。
【発明の効果】
【００１５】
本発明によれば、Ｂｌｕｅｔｏｏｔｈや無線ＬＡＮなどの無線方式を採用する従来のシステムに比べて、機能を設定（または制限）するエリアを細かく設定することができる、という効果がある。
【００１６】
さらに、携帯端末使用者側でエリア側の設定情報を自由に設定することができるので、システムの利便性が向上する、という効果がある。
【発明を実施するための最良の形態】
【００１７】
次に、本発明の実施形態について図面を参照して説明する。
【００１８】
図１は、本発明の一実施形態である携帯端末機能設定システムの概略構成を示すブロック図である。図１を参照すると、この端末機能設定システムは、携帯端末１０とＲＦＩＤ（Radio Frequency Identification）タグ２０からなる。
【００１９】
ＲＦＩＤタグ２０は、情報の読み取りおよび書き込みが非接触で行われる無線タグ（ＩＣタグ、無線ＩＣタグ、ＲＦタグなどと呼ばれることもある。）であって、メモリ機能を備えたＩＣチップと小型アンテナからなる。ＲＦＩＤタグ２０は、電源を持たず、ＲＦＩＤリーダから電磁誘導による電力供給を受けて動作する。
【００２０】
携帯端末１０は、携帯電話機やＰＨＳ（Personal Handyphone System）などの端末であって、その主要部は、無線部１０１、制御部１０２、ＲＦＩＤリーダ／ライタ１０３、ＲＦタグ情報記憶部１０４、判定部１０５、鳴音部１０６、操作部１０７および表示部１０８からなる。
【００２１】
無線部１０１は、不図示の無線基地局との間で無線信号を送受信する。ＲＦＩＤリーダ／ライタ１０３は、携帯端末の機能を設定するための機能設定情報またはその設定を解除するための機能設定解除情報などをタグ情報としてＲＦＩＤタグ２０に書き込んだり、ＲＦＩＤタグ２０からタグ情報を読み取ったりすることができる。ＲＦタグ情報記憶部１０４は、ＲＦＩＤリーダ／ライタ１０３がＲＦＩＤタグ２０から読み取ったタグ情報を格納する。
【００２２】
判定部１０５は、ＲＦタグ情報記憶部１０４に格納されたタグ情報（機能設定情報または機能設定解除情報）の内容に基づいて、機能設定と設定解除のいずれを行うかを判断する。鳴音部１０６は、スピーカよりなり、無線部１０１を通じた発着信などの携帯端末の動作状態やメッセージを使用者に通知するためのものである。操作部１０７は、操作キーやタッチパネルなどからなり、使用者は、この操作部１０７上で、携帯端末１０を動作させるための入力操作を行う。表示部１０８は、液晶パネルに代表される表示デバイスよりなる。
【００２３】
制御部１０２は、不図示にメモリに格納されたプログラムにしたがって携帯端末１０全体の動作を制御する。具体的には、制御部１０２は、ＲＦＩＤリーダ／ライタ１０３によるタグ情報の書き込みや読み取り、ＲＦタグ情報記憶部１０４へのタグ情報の格納、ＲＦタグ情報記憶部１０４から判定部１０５へのタグ情報の読み出しなどの制御を行う。また、制御部１０２は、判定部１０５からの要求（機能設定要求または設定解除要求）に応じて、携帯端末１０の機能の設定および解除を行う。さらに、制御部１０２は、操作部１０７からの入力を受け付けて必要な動作を実行したり、必要な情報を表示部１０８に表示させ、または、上記メモリに格納したりする。表示部１０８に表示される情報には、既存の携帯電話機で表示されるようなデータ（メールやＷｅｂページの内容を含む）の他、携帯端末１０の機能を設定するための機能設定画面、タグ情報を設定するためのタグ情報設定画面、タグ情報の編集を行うためのタグ情報編集画面などがある。これら画面は、メニュー画面から呼び出すことができる。
【００２４】
次に、本実施形態の携帯端末機能設定システムの動作を具体的に説明する。
【００２５】
本実施形態の携帯端末機能設定システムの動作は、携帯端末１０を用いてＲＦＩＤタグ２０にタグ情報を書き込む第１のプロセスと、ＲＦＩＤタグ２０から読み取ったタグ情報により携帯端末１０の機能設定／解除を行う第２のプロセスと、ＲＦＩＤタグ２０に書き込まれたタグ情報を編集する第３のプロセスとからなる。
【００２６】
（１）ＲＦＩＤタグ２０へのタグ情報の書き込み（第１のプロセス）：
携帯端末１０を所持した使用者がＲＦＩＤタグ２０に近付くと、ＲＦＩＤタグ２０が、携帯端末１０に搭載されたＲＦＩＤリーダ／ライタ１０３から電磁誘導による電力供給を受けて動作する。ＲＦＩＤタグ２０は、自身を識別するためのタグＩＤ情報を無線により送出する。携帯端末１０は、このＲＦＩＤタグ２０が送出したタグＩＤ情報を受信することで、ＲＦＩＤタグ２０へのタグ情報の書き込みが可能な状態となる。
【００２７】
使用者が、操作部１０７上で、タグ情報の書き込みを行うための入力操作を行うと、制御部１０２が、その操作部１０７における入力を受け付けて、ＲＦＩＤタグ２０へのタグ情報の書き込み処理を実行する。
【００２８】
図２に、携帯端末１０によるタグ情報の書き込み処理の一手順を示す。使用者が、操作部１０７上で、タグ情報設定画面を表示するための入力操作を行うと、制御部１０７は、不図示のメモリに格納されているタグ情報設定画面の情報を読み出して表示部１０８に表示させる（ステップ２００）。タグ情報設定画面には、携帯端末１０の機能に関するモードの設定（モードのオン／オフの設定や時間帯の設定など）を行うための各項目が設けられており、使用者は、操作部１０７を通じて、タグ情報編集画面上で、必要な機能の設定を行うことができる。また、タグ情報設定画面には、実行ボタンが用意されており、使用者が、操作部１０７を通じて、実行ボタンを選択入力することで、タグ情報編集画面上で設定した情報をタグ情報としてＲＦＩＤタグ２０に書き込む動作を開始することができる。
【００２９】
制御部１０２は、操作部１０７からの入力に基づいて、タグ情報設定画面上で、実行ボタンが選択されたか否かを判断する（ステップ２０１）。実行ボタンが選択されたと判断した場合は、制御部１０２は、続いて、ＲＦＩＤタグ２０からタグＩＤ情報がＲＦＩＤリーダ／ライタ１０３によって受信されたか否かを判断する（ステップ２０２）。この判断は一定の繰り返し周期で行われる。ＲＦＩＤリーダ／ライタ１０３にてタグＩＤ情報が受信されると、制御部１０２は、タグ情報編集画面上で設定した情報をＲＦＩＤリーダ／ライタ１０３を通じてＲＦＩＤタグ２０に送信する（ステップ２０３）。
【００３０】
上述のステップ２００〜２０３の処理により、設定情報（機能設定情報または機能設定解除情報）が、書き込み要求とともに、携帯端末１０からＲＦＩＤタグ２０に送信される。ＲＦＩＤタグ２０は、携帯端末１０からの書き込み要求に応じて、携帯端末１０から受信した設定情報（機能設定情報または機能設定解除情報）をタグ情報として自タグ内のメモリに格納する。
【００３１】
以上説明した第１のプロセスによれば、携帯端末１０の使用者は、自身が所持している携帯端末１０または他の携帯端末に関する機能の設定および解除のための情報をタグ情報として、ＲＦＩＤタグ２０に自由に書き込むことができる。タグ情報として書き込む設定情報としては、電子メールを送受信するための機能、インターネット上でＷｅｂページなどを閲覧する機能（ブラウザ）、通話機能など様々な機能に関するモードのオン／オフやその時間帯情報などがある。
【００３２】
（２）タグ情報を利用した携帯端末１０の機能設定／解除（第２のプロセス）：
第２のプロセスでは、上記の第１のプロセスによってタグ情報の書き込みがなされたＲＦＩＤタグ２０を利用した携帯端末１０の機能の設定／解除が行われる。ここでは、タグ情報として、無線部１０１を動作させないようにして、音声／メールの発着信やＷｅｂ接続を禁止するモードであるオフラインモードのオン／オフに関する情報（オフラインモードをオンする時間帯情報およびオフラインモードをオフする時間帯情報を含む）がＲＦＩＤタグ２０に書き込まれているものとする。
【００３３】
携帯端末１０では、ＲＦＩＤタグ２０が送出したタグＩＤ情報を受信することで、ＲＦＩＤタグ２０からのタグ情報の読み取りが可能な状態となるとともに、ＲＦＩＤタグ２０のタグ情報に基づく機能の設定または解除の処理が自動的に実行される。
【００３４】
図３に、タグ情報を利用した携帯端末１０の機能設定／解除の処理の一手順を示す。まず、制御部１０２は、ＲＦＩＤタグ２０からタグＩＤ情報がＲＦＩＤリーダ／ライタ１０３によって受信されたか否かを判断する（ステップ３００）。この判断は一定の繰り返し周期で行われる。
【００３５】
ＲＦＩＤリーダ／ライタ１０３にてタグＩＤ情報が受信されると、制御部１０２は、ＲＦＩＤリーダ／ライタ１０３を通じてＲＦＩＤタグ２０からタグ情報を読み取り、そのタグ情報をＲＦタグ情報記憶部１０４に格納する。そして、判定部１０５が、ＲＦタグ情報記憶部１０４に格納されたタグ情報の設定内容（オフラインモードのオン／オフの設定）を調べる（ステップ３０１）。
【００３６】
オフラインモードをオンする設定がなされていた場合は、判定部１０５は、ＲＦタグ情報記憶部１０４に格納されたタグ情報にオフラインモードをオンする時間帯情報が含まれているか否かを調べる（ステップ３０２）。
【００３７】
ステップ３０２で時間帯情報があると判断した場合は、判定部１０５は、不図示の時計部から現在の時刻情報を取得し、該取得した時刻情報とタグ情報に含まれている時間帯情報とに基づいて、現在の時刻がオフラインモードをオンする時間帯に該当するか否かを判断する（ステップ３０３）。該当時間帯である場合は、判定部１０５は、オフラインモードをオンする旨の要求を制御部１０２に送出し、該要求に応じて、制御部１０２が、携帯端末１０のオフラインモードをオンの状態に設定する（ステップ３０４）。該当時間帯でない場合は、判定部１０５がその旨を制御部１０２に送出することで、当該機能設定／解除の処理を終了させる。ステップ３０２で時間帯情報がないと判断した場合は、ステップ３０４に移行する。
【００３８】
オフラインモードをオフする設定がなされていた場合は、判定部１０５は、ＲＦタグ情報記憶部１０４に格納されたタグ情報にオフラインモードをオフする時間帯情報が含まれているか否かを調べる（ステップ３０５）。
【００３９】
ステップ３０５で時間帯情報があると判断した場合は、判定部１０５は、不図示の時計部から現在の時刻情報を取得し、該取得した時刻情報とタグ情報に含まれている時間帯情報とに基づいて、現在の時刻がオフラインモードをオフする時間帯に該当するか否かを判断する（ステップ３０６）。該当時間帯である場合は、判定部１０５は、オフラインモードをオフする旨の要求を制御部１０２に送出し、該要求に応じて、制御部１０２が、携帯端末１０のオフラインモードをオフの状態に設定する（ステップ３０７）。該当時間帯でない場合は、判定部１０５がその旨を制御部１０２に送出することで、当該機能設定／解除の処理を終了させる。ステップ３０６で時間帯情報がないと判断した場合は、ステップ３０７に移行する。
【００４０】
上述のステップ３００〜３０７の処理により、携帯端末１０の機能の設定および解除をＲＦＩＤタグ２０のタグ情報を利用して自動で設定することができる。
【００４１】
なお、オフラインモードに代えて、マナーモードなど、他のモードのオン／オフを設定するようにしてもよい。
【００４２】
（３）タグ情報の編集（第３のプロセス）：
携帯端末１０は、ＲＦＩＤタグ２０が送出したタグＩＤ情報を受信することで、ＲＦＩＤタグ２０に格納されているタグ情報の編集が可能な状態となる。使用者が、操作部１０７上で、タグ情報の編集を行うための入力操作を行うと、制御部１０２が、その操作部１０７における入力を受け付けてタグ情報の編集処理を実行する。
【００４３】
図４に、携帯端末１０によるタグ情報編集処理の一手順を示す。まず、制御部１０２は、ＲＦＩＤタグ２０からタグＩＤ情報がＲＦＩＤリーダ／ライタ１０３によって受信されたか否かを判断する（ステップ４００）。この判断は一定の繰り返し周期で行われる。ＲＦＩＤリーダ／ライタ１０３にてタグＩＤ情報が受信されると、制御部１０２は、タグ情報の編集が可能な状態になった旨のメッセージを表示部１０８上に表示する（ステップ４０１）。
【００４４】
使用者が、メッセージの表示を確認した後、操作部１０７上で、タグ情報編集画面を表示するための入力操作を行うと、ＲＦＩＤリーダ／ライタ１０３がＲＦＩＤタグ２０からタグ情報を読み取り、制御部１０７が、不図示のメモリに格納されているタグ情報編集画面の情報を読み出して、そのタグ情報編集画面の情報をＲＦＩＤリーダ／ライタ１０３が読み取ったタグ情報とともに表示部１０８に表示させる（ステップ４０２）。タグ情報編集画面は、ＲＦＩＤリーダ／ライタ１０３が読み取ったタグ情報の内容が表示されるとともに、その内容を編集することが可能になっている。使用者は、操作部１０７を通じて、タグ情報編集画面上で、そこに表示されたタグ情報を編集することができる。また、タグ情報編集画面には確定ボタンが用意されており、使用者は、操作部１０７を通じて確定ボタンを選択入力するとで、編集した内容を確定することができる。
【００４５】
制御部１０２は、操作部１０７からの入力に基づいて、タグ情報編集画面上で、確定ボタンが選択されたか否かを判断する（ステップ４０３）。確定ボタンが選択されたと判断した場合は、制御部１０２は、使用者が編集した内容を書き替え要求とともにＲＦＩＤリーダ／ライタ１０３を通じてＲＦＩＤタグ２０に送信する（ステップ４０４）。
【００４６】
上述のステップ４００〜４０４の処理により、第１のプロセスでＲＦＩＤタグに書き込まれたタグ情報を自由に編集することが可能となる。例えば、第１のプロセスで、タグ情報として、オフラインモードをオン状態とする設定情報と、オフラインモードをオンする時間帯情報をＲＦＩＤタグ２０に書き込んだ場合において、設定情報を、オフラインモードをオフとする情報に変更したり、時間帯情報を異なる時間帯に変更したりすることができる。
【００４７】
次に、本実施形態の携帯端末機能設定システムの具体的な利用形態について説明する。ここでは、親子で、携帯端末１０と同様な構成の２台の携帯電話機Ａ、Ｂを使用する場合について説明する。以下では、親が携帯電話機Ａを使用し、子が携帯電話機Ｂを使用するものとする。
【００４８】
ＲＦＩＤタグ２０は、子供部屋の所望の位置に設けられる。親は、自分が所持する携帯電話機Ａを使用して、携帯電話機Ｂのオフラインモードをオンするための設定情報とその時間帯情報（ここでは、午後９時から翌朝の６時までの時間帯が設定されるものとする）をＲＦＩＤタグ２０に書き込む。携帯電話機Ｂを所持した子が、ＲＦＩＤタグ２０が設けられた子供部屋に入ると、ＲＦＩＤタグ２０は、携帯電話機Ｂに搭載されているＲＦＩＤリーダ／ライタ１０３から電磁誘導による電力供給を受けて動作を開始し、タグ情報（設定情報および時間帯情報）を携帯電話機Ｂに送信する。タグ情報（設定情報および時間帯情報）を受信した携帯電話機Ｂは、午後９時から翌朝の６時までの時間帯において、オフラインモードがオン状態になる。
【００４９】
上記の利用形態によれば、子供の携帯電話機の使い過ぎを抑制することができる。
【００５０】
なお、上記の利用形態において、携帯電話機Ａ、Ｂは、ともに携帯端末１０と同様な構成としているが、携帯電話機Ｂに搭載されるＲＦＩＤリーダ／ライタを、ＲＦＩＤリーダに変更してもよい。この場合は、ＲＦＩＤタグ２０のタグ情報の書き込み／編集を行うことが可能な携帯電話機が携帯電話機Ａに制限される。この制限は、子供によるＲＦＩＤタグ２０のタグ情報の書き込み／編集が困難になる。
【００５１】
また、携帯電話機Ａに搭載されるＲＦＩＤリーダ／ライタを、ＲＦＩＤライタに変更してもよい。この場合は、ＲＦＩＤタグ２０のタグ情報を受信することが可能な携帯電話機が携帯電話機Ｂに制限される。この制限により、ＲＦＩＤタグ２０のタグ情報によって、親が所持する携帯電話機Ａのオフラインモードがオン状態になることを防止することができる。
【００５２】
他の携帯電話機によるＲＦＩＤタグ２０のタグ情報の書き込み／編集を防止するために、ＲＦＩＤタグ２０側で、通信相手である携帯電話機の正当性を確認することも可能である。例えば、ＲＦＩＤタグ２０が、携帯電話機Ａの端末ＩＤを予め保持して、通信時に、通信相手から供給される端末ＩＤと保持している端末ＩＤとを比較することで、正当性を判断する。ＲＦＩＤタグ２０による通信相手の認証としては、既存の手法を適宜採用することができる。
【００５３】
（他の実施形態）
図５は、本発明の他の実施形態である携帯端末機能設定システムを構成する携帯端末の概略構成を示すブロック図である。この携帯端末は、図１に示した携帯端末１０の構成と基本的な構成は同じであるが、カメラ部１０９およびカメラ設定情報記憶部１１０を追加した点が異なる。説明の重複を避けるため、ここでは、特徴となる部分を中心に説明する。
【００５４】
カメラ部１０９は、既存の携帯電話機が備えているカメラ機能と同様のものであって、その動作は制御部１０２により制御される。使用者は、操作部１０７を通じて、カメラ部１０９を起動して静止画や動画の撮影を行う他、カメラ機能の設定（明るさ、ライトＯＮ／ＯＦＦ、コントラストなど）を行うことができる。カメラ機能の設定情報は、制御部１０２によりカメラ設定情報記憶部１１０に格納される。
【００５５】
制御部１０２は、前述の動作と同様に、ＲＦＩＤリーダ／ライタを通じて、ＲＦＩＤタグ２０から読み取ったタグ情報をＲＦタグ情報記憶部１０４に格納したり、機能の設定情報をタグ情報としてＲＦＩＤタグ２０に書き込んだりする。本実施形態では、機能の設定情報は、カメラ機能の設定情報である。
【００５６】
判定部１０５は、前述の動作に加えて、カメラ設定情報記憶部１１０に格納されたカメラ機能の設定情報とＲＦタグ情報記憶部１０４に格納された設定情報（ＲＦＩＤタグ２０から読み取ったカメラ機能の設定情報）を読み出して比較する。比較の結果が異なる場合は、判定部１０５は、ＲＦタグ情報記憶部１０４に格納された設定情報を（カメラ設定に変更するか確認する画面を表示部（１０９）に表示するよう制御部（１０２）へ指示を送る。
【００５７】
次に、本実施形態の携帯端末機能設定システムの動作を説明する。
【００５８】
本実施形態の携帯端末機能設定システムでは、上述した第１から第３のプロセスに加えて、ＲＦＩＤタグ２０を利用したカメラ機能の自動設定処理が行われる。以下にその処理を具体的に説明する。
【００５９】
図６に、カメラ機能設定処理の一手順を示す。カメラ設定情報記憶部１１０には、現在のカメラ機能の設定情報が予め格納されている。また、ＲＦＩＤタグ２０には、カメラ機能の設定情報（オススメ設定情報）が予め格納されている。
【００６０】
使用者が、操作部１０７上で、カメラ部１０９を起動させるための入力操作を行うと、制御部１０２が、その入力を受け付けて、カメラ部１０９を起動する（ステップ５００）。続いて、制御部１０２は、ＲＦＩＤタグ２０からタグＩＤ情報がＲＦＩＤリーダ／ライタ１０３によって受信されたか否かを判断する（ステップ５０１）。
【００６１】
ＲＦＩＤリーダ／ライタ１０３にてタグＩＤ情報が受信されたと判断した場合は、制御部１０２は、ＲＦＩＤリーダ／ライタ１０３を通じてＲＦＩＤタグ２０からカメラ機能のオススメ設定情報を読み取り、そのオススメ設定情報をＲＦタグ情報記憶部１０４に格納する（ステップ５０２）。次に、判定部１０５が、ＲＦタグ情報記憶部１０４に格納されたオススメ設定情報と、カメラ設定情報記憶部１１０に格納された現在のカメラ機能の設定情報とを比較する（ステップ５０３）。
【００６２】
ステップ５０３の比較で両設定情報が一致しなかった場合は、制御部１０２は、オススメ設定に変更するか否かを確認するための確認画面を表示部１０８に表示させる（ステップ５０４）。確認画面には、現在のカメラ機能の設定情報およびオススメ設定情報のそれぞれの内容が表示される。また、確認画面には、カメラ機能の設定情報をオススメ設定情報に変更するか否かを決定するための決定ボタンが用意されている。使用者は、オススメ設定に変更する場合は、操作部１０７を通じて、その確認画面上の決定ボタンを選択入力する。
【００６３】
制御部１０２は、操作部１０７からの入力に基づいて、オススメ設定に変更する否かを判断する（ステップ５０５）。オススメ設定に変更すると判断した場合は、制御部１０２は、ＲＦタグ情報記憶部１０４に格納されたオススメ設定情報に基づいて現在のカメラ機能の設定を変更し、カメラ設定情報記憶部１１０に格納されている現在のカメラ機能の設定情報をそのオススメ設定情報に書き替える（ステップ５０６）。その後、制御部１０２は、携帯端末１０をカメラ部１０９による撮影が可能な状態にする。この状態において、使用者は、操作部１０７を通じて、自由にカメラ部１０９による撮影を行うことができる。
【００６４】
なお、ステップ５０１でタグＩＤ情報が受信されなかった場合、ステップ５０３で設定情報が一致した場合、および、ステップ５０５でオススメ設定に変更しないと判断した場合は、ステップ５０４の撮影に移行する。
【００６５】
ステップ５０４の撮影後、制御部１０２は、撮影画像データを不図示のメモリに保存するか否かを確認するための確認画面を表示部１０８に表示する（ステップ５０７）。確認画面には、撮影画像が表示される。また、確認画面には、表示された撮影画像を保存するか否かを決定するための決定ボタンが用意されている。使用者は、撮影画像を保存する場合は、操作部１０７を通じて、その確認画面上の決定ボタンを選択入力する。
【００６６】
制御部１０２は、操作部１０７からの入力に基づいて、撮影画像を保存する否かを判断する（ステップ５０８）。オススメ設定に変更すると判断した場合は、制御部１０２は、撮影画像を不図示のメモリに保存した後、ＲＦＩＤタグ２０からタグＩＤ情報がＲＦＩＤリーダ／ライタ１０３によって受信されたか否かを判断する（ステップ５０９）。
【００６７】
ＲＦＩＤリーダ／ライタ１０３にてタグＩＤ情報が受信されたと判断した場合は、制御部１０２は、カメラ設定情報記憶部１１０に格納されている現在のカメラ機能の設定情報をＲＦＩＤリーダ／ライタ１０３を通じてＲＦＩＤタグ２０に書き込む（ステップ５１０）。その後、制御部１０２は、操作部１０７上で、カメラ撮影を終了するための入力がなされたか否かを判断する。カメラ撮影を終了するための入力がなされた場合は、制御部１０２は、当該カメラ機能設定処理を終了する。カメラ撮影を終了するための入力がなされなかった場合は、ステップ５０１に戻る。
【００６８】
なお、ステップ５０８で撮影画像を保存しないと判断した場合、およびステップ５０９でタグＩＤ情報が受信されなかった場合は、そのままステップ５１１に移行する。
【００６９】
上述のカメラ機能設定処理によれば、携帯端末の画像保存時のカメラ設定を自由にＲＦＩＤタグ２０に保存することができる。保存した設定情報を持ち歩くこともできる。また、所望のカメラ撮影場所にＲＦＩＤタグ２０を設置しておけば、その場所に応じたカメラ設定情報を複数の携帯端末間で受け渡しすることができる。また、ＲＦＩＤタグ２０は、ＲＦＩＤリーダ／ライタと非接触で通信することができるため、ユーザはＲＦタグを意識することなくカメラ撮影を行うことができる。
【００７０】
以上の各実施形態の携帯端末機能設定システムは、本発明の一例であり、その構成および動作は、発明の主旨を逸脱しない範囲で適宜変更することができる。例えば、ＲＦＩＤリーダ／ライタは、携帯端末に着脱自在に設けられてもよい。また、ＲＦＩＤタグを複数設けてもよい。
【図面の簡単な説明】
【００７１】
【図１】本発明の一実施形態である携帯端末機能設定システムの概略構成を示すブロック図である。
【図２】図１に示す携帯端末機能設定システムの携帯端末によって行われるタグ情報の書き込み処理の一手順を示すフローチャートである。
【図３】図１に示す携帯端末機能設定システムの携帯端末によって行われる機能設定／解除の処理の一手順を示すフローチャートである。
【図４】図１に示す携帯端末機能設定システムの携帯端末によって行われるタグ情報編集処理の一手順を示すフローチャートである。
【図５】本発明の他の実施形態である携帯端末機能設定システムを構成する携帯端末の概略構成を示すブロック図である。
【図６】図５に示す携帯端末機能設定システムの携帯端末によって行われるカメラ機能設定処理の一手順を示すフローチャートである。
【図７】従来のシステムの概要を示すブロック図である。
【符号の説明】
【００７２】
１０  携帯端末
２０  ＲＦＩＤタグ
１０１  無線部
１０２  制御部
１０３  ＲＦＩＤリーダ／ライタ
１０４  ＲＦタグ情報記憶部
１０５  判定部
１０６  鳴音部
１０７  操作部
１０８  表示部
【図１】
2006262113.tif 000003
【図２】
2006262113.tif 000004
【図３】
2006262113.tif 000005
【図４】
2006262113.tif 000006
【図５】
2006262113.tif 000007
【図６】
2006262113.tif 000008
【図７】
2006262113.tif 000009